(57)【特許請求の範囲】
【請求項１】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
前記２相のクロックパルスをそれぞれ供給する２本のクロックパルスラインが接続されるボンディングパッドと、前記発光素子の各制御電極に電源電圧を供給する電源電圧ラインが接続されるボンディングパッドとを備え、
前記電源電圧を、前記発光素子の各制御電極に、各負荷抵抗を介して供給し、
最初に発光すべき発光素子の制御電極に接続される負荷抵抗の値を、他の負荷抵抗の値より小さくすることを特徴とする自己走査型発光装置。
【請求項２】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
前記２相のクロックパルスをそれぞれ供給する２本のクロックパルスラインが接続されるボンディングパッドと、前記発光素子の各制御電極に電源電圧を供給する電源電圧ラインが接続されるボンディングパッドとを備え、
前記２本のクロックパルスラインの一方を、ダイオードを介して、最初に発光すべき発光素子の制御電極に接続したことを特徴とする自己走査型発光装置。
【請求項３】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
前記２相のクロックパルスをそれぞれ供給する２本のクロックパルスラインが接続されるボンディングパッドと、前記発光素子の各制御電極に電源電圧を供給する電源電圧ラインが接続されるボンディングパッドとを備え、
前記２本のクロックパルスラインの一方を、抵抗を介して、最初に発光すべき発光素子の制御電極に接続したことを特徴とする自己走査型発光装置。
【請求項４】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
前記２相のクロックパルスをそれぞれ供給する２本のクロックパルスラインが接続されるボンディングパッドと、最初に発光すべき発光素子の制御電極にスタートパルスを供給するスタートパルスラインが接続されるボンディングパッドとを備え、
前記２本のクロックパルスラインを、ダイオード−ダイオードロジックの論理和回路を介して、前記発光素子の各制御電極に電源電圧を供給する電源電圧ラインに接続したことを特徴とする自己走査型発光装置。
【請求項５】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
２相のクロックパルスをそれぞれ供給する２本のクロックパルスラインが接続されるボンディングパッドを備え、
前記２本のクロックパルスラインを、ダイオード−ダイオードロジックの論理和回路を介して、前記発光素子の各制御電極に電源電圧を供給する電源電圧ラインに接続し、
前記２本のクロックパルスラインの一方を、ダイオードを介して、最初に発光すべき発光素子の制御電極に接続したことを特徴とする自己走査型発光装置。
【請求項６】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
２相のクロックパルスをそれぞれ供給する２本のクロックパルスラインが接続されるボンディングパッドを備え、
前記２本のクロックパルスラインを、ダイオード−ダイオードロジックの論理和回路を介して、前記発光素子の各制御電極に電源電圧を供給する電源電圧ラインに接続し、
前記２本のクロックパルスラインの一方を、抵抗を介して、最初に発光すべき発光素子の制御電極に接続したことを特徴とする自己走査型発光装置。
【請求項７】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
前記２相のクロックパルスをそれぞれ供給する２本のクロックパルスラインが接続されるボンディングパッドと、前記発光素子の各制御電極に電源電圧を供給する電源電圧ラインが接続されるボンディングパッドと、前記発光のための電流を印加するラインが接続されるボンディングパッドとを備え、
前記電源電圧を、前記転送素子の各制御電極に、各負荷抵抗を介して供給し、
最初に発光すべき発光素子の制御電極に接続される負荷抵抗の値を、他の負荷抵抗の値より小さくすることを特徴とする自己走査型発光装置。
【請求項８】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
前記２相のクロックパルスをそれぞれ供給する２本のクロックパルスラインが接続されるボンディングパッドと、前記発光素子の各制御電極に電源電圧を供給する電源電圧ラインが接続されるボンディングパッドと、前記発光のための電流を印加するラインが接続されるボンディングパッドとを備え、
前記２本のクロックパルスラインの一方を、ダイオードを介して、最初にオンすべき転送素子の制御電極に接続したことを特徴とする自己走査型発光装置。
【請求項９】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
前記２相のクロックパルスをそれぞれ供給する２本のクロックパルスラインが接続されるボンディングパッドと、前記発光素子の各制御電極に電源電圧を供給する電源電圧ラインが接続されるボンディングパッドと、前記発光のための電流を印加するラインが接続されるボンディングパッドとを備え、
前記２本のクロックパルスラインの一方を、抵抗を介して、最初にオンすべき転送素子の制御電極に接続したことを特徴とする自己走査型発光装置。
【請求項１０】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
前記２相のクロックパルスをそれぞれ供給する２本のクロックパルスラインが接続されるボンディングパッドと、最初に発光すべき発光素子の制御電極にスタートパルスを供給するスタートパルスラインが接続されるボンディングパッドと、前記発光のための電流を印加するラインが接続されるボンディングパッドとを備え、
前記２本のクロックパルスラインを、ダイオード−ダイオードロジックの論理和回路を介して、前記発光素子の各制御電極に電源電圧を供給する電源電圧ラインに接続したことを特徴とする自己走査型発光装置。
【請求項１１】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
２相のクロックパルスをそれぞれ供給する２本のクロックパルスラインが接続されるボンディングパッドと、前記発光のための電流を印加するラインが接続されるボンディングパッドとを備え、
前記２本のクロックパルスラインを、ダイオード−ダイオードロジックの論理和回路を介して、前記発光素子の各制御電極に電源電圧を供給する電源電圧ラインに接続し、
前記２本のクロックパルスラインの一方を、ダイオードを介して、最初にオンすべき転送素子の制御電極に接続したことを特徴とする自己走査型発光装置。
【請求項１２】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
２相のクロックパルスをそれぞれ供給する２本のクロックパルスラインが接続されるボンディングパッドと、前記発光のための電流を印加するラインが接続されるボンディングパッドとを備え、
前記２本のクロックパルスラインを、ダイオード−ダイオードロジックの論理和回路を介して、前記発光素子の各制御電極に電源電圧を供給する電源電圧ラインに接続し、
前記２本のクロックパルスラインの一方を、抵抗を介して、最初にオンすべき転送素子の制御電極に接続したことを特徴とする自己走査型発光装置。
【請求項１３】
請求項１〜１２のいずれかに記載の自己走査型発光装置を備える光プリンタ。
【発明の詳細な説明】
【０００１】
【発明の属する技術分野】
本発明は、自己走査型発光装置、特に、ボンディングパッドの数を減らすことのできる自己走査型発光装置に関する。
【０００２】
【従来の技術】
多数個の発光素子を同一基板上に集積した発光素子アレイはその駆動用ＩＣと組み合わせて光プリンタ等の書き込み用光源として利用されている。本発明者らは発光素子アレイの構成要素としてｐｎｐｎ構造を持つ発光素子に注目し、発光点の自己走査が実現できることを既に特許出願（特開平１−２３８９６２号公報、特開平２−１４５８４号公報、特開平２−９２６５０号公報、特開平２−９２６５１号公報）し、光プリンタ用光源として実装上簡便となること、発光素子ピッチを細かくできること、コンパクトな発光装置を作製できること等を示した。
【０００３】
さらに本発明者らは、転送素子（発光素子）アレイをシフトレジスタとして、発光素子（発光素子）アレイと分離した構造の自己走査型発光装置を提案している（特開平２−２６３６６８号公報）。
【０００４】
図１に従来の自己走査型発光装置の等価回路を示す。この自己走査型発光装置は、ダイオード結合方式による２相駆動のものである。図中、Ｔ1 〜Ｔ4 は発光素子、Ｄ1 〜Ｄ4 は結合ダイオード、Ｒ1 〜Ｒ4 はゲート負荷抵抗を示している。発光素子のカソードは基板電極に、奇数番の発光素子のアノードはクロックパルスラインφ1 （１１）に、偶数番の発光素子のアノードはクロックパルスラインφ2 （１２）に接続されている。発光素子のゲートは、ゲート負荷抵抗Ｒ1 ，Ｒ2 ，Ｒ3 …を介して電源ラインφGK（１４）に接続され、更に隣り合うゲート電極同士は結合ダイオードＤ1 ，Ｄ2 ，Ｄ3 …を介して接続されている。各ライン１１，１２，１４は、ボンディングパッド２１，２２，２４を介して外部に接続される。また、発光素子Ｔ1 のゲートは、スタートパルスφS 用ボンディングパッド２３に接続される。
【０００５】
なお図１において、１０は、自己走査型発光装置チップとして、集積化された部分を示している。
【０００６】
各ボンディングパッド２１，２２，２３は、外付けの電流制限用抵抗５１，５２，５３を介して、また、端子２４は直接に、駆動回路４０の出力端子４１（φ1 ），４２（φ2 ），４３（φS ），４４（φGK）に接続される。
【０００７】
図２は、駆動回路４０の駆動パルスφ1 ，φ2 ，φGK，φS のタイミングを示す。これらパルスのレベルは、上側がＨ（Ｈｉｇｈ）レベル、下側がＬ（Ｌｏｗ）レベルであり、Ｌレベルは基板電位（カソード電位）に等しい。
【０００８】
図２中、Ｔ1 〜Ｔ6 は、発光素子の発光量を示しており、ハッチングしてあるタイミングでは、その発光素子が発光していることを示す。
【０００９】
また、３つのモード、すなわちＭＯＤＥ−１（待機モード），ＭＯＤＥ−２（移行モード），ＭＯＤＥ−３（転送モード）に分けて記述している。ここで、ＭＯＤＥ−１の待機モードは、発光素子が全部消灯の状態であり、φ1 ，φ2 ，φGK ，φS ともＬレベルとなっている。ＭＯＤＥ−２の移行モードでは、電源パルスφGKをＨレベルにするのに必要な時間である。その後、ＭＯＤＥ−３の転送モードとなり、スタートパルスφS がＬレベルのとき、クロックパルスφ1 がＨレベルになると、発光素子Ｔ1 が発光する。発光した後、すぐにスタートパルスφS はＨレベルにする。以上のように、発光素子Ｔ1 が発光した後は、２相クロックパルスφ1 ，φ2 の繰り返しにより発光状態が転送されていく。
【００１０】
【発明が解決しようとする課題】
この従来の構造では、外部との配線のために、チップに４つのボンディングパッド２１（φ1 ），２２（φ2 ），２３（φS ），２４（φGK）を設ける必要がある。このためチップの小型化が難しかった。
【００１１】
本発明の目的は、ボンディングパッドの数を３個または２個に減らすことのできる自己走査型発光装置を提供することにある。
【００１２】
【課題を解決するための手段】
本発明によれば、発光のためのしきい電圧もしくはしきい電流が外部から電気的に制御可能な３端子発光素子多数個を、一次元的に配列し、隣接する発光素子のしきい電圧もしくはしきい電流を制御する制御電極を、電圧もしくは電流の一方向性をもつ電気的手段にて互いに接続し、電源電圧ラインを、前記発光素子の各制御電極に、各負荷抵抗を介して接続し、前記一次元的に配列された各発光素子の残りの２端子のうちの一方に、外部から２相のクロックパルスラインを、それぞれ１素子おきに接続し、一方の相のクロックパルスにより、ある発光素子が発光しているとき、その発光素子近傍の発光素子のしきい電圧もしくはしきい電流を、前記電気的手段を介して変化させ、他方の相のクロックパルスにより、前記ある発光素子に隣接する発光素子を発光させる自己走査型発光装置において、ボンディングパッドの数を減らすことができる。
【００１３】
このためには、次のような手段を採用する。
（１）最初に発光すべき発光素子の制御電極に接続される負荷抵抗の値を、他の負荷抵抗の値より小さくする。これによりスタートパルスφS 用のボンディングパッドを省略することができる。
（２）２相のクロックパルスラインの一方を、ダイオードまたは抵抗を介して、最初に発光すべき発光素子の制御電極に接続する。これによりスタートパルスφS 用のボンディングパッドを省略することができる。
（３）２相のクロックパルスラインを、ダイオード−ダイオードロジックの論理和回路を介して、電源電圧ラインに接続する。これにより電源電圧パルス用のボンディングパッドを省略することができる。
（４）２相のクロックパルスラインを、ダイオード−ダイオードロジックの論理和回路を介して、電源電圧ラインに接続し、および２相のクロックパルスラインの一方を、ダイオードまたは抵抗を介して、最初に発光すべき発光素子の制御電極に接続する。これによりスタートパルスφS 用のボンディングパッドおよび電源電圧パルス用のボンディングパッドを省略することができる。
【００１４】
また本発明は、シフト機能と発光機能とを分離した構造である、次のような自己走査型発光装置にも適用できる。すなわち、しきい電圧もしくはしきい電流が外部から電気的に制御可能な３端子転送素子多数個を、一次元的に配列し、隣接する転送素子のしきい電圧もしくはしきい電流を制御する制御電極を、電圧もしくは電流の一方向性をもつ電気的手段にて互いに接続し、電源電圧ラインを、前記転送素子の各制御電極に、各負荷抵抗を介して接続し、前記一次元的に配列された各転送素子の残りの２端子のうちの一方に、外部から２相のクロックパルスラインを、それぞれ１素子おきに接続し、一方の相のクロックパルスにより、ある転送素子がオンしているとき、その転送素子近傍の転送素子のしきい電圧もしくはしきい電流を、前記電気的手段を介して変化させ、他方の相のクロックパルスにより、前記ある転送素子に隣接する転送素子をオンさせ、発光のためのしきい電圧もしくはしきい電流が外部から電気的に制御可能な３端子発光素子多数個を、一次元的に配列し、前記転送素子の各制御電極を、前記発光素子の対応する制御電極に接続し、前記各発光素子の残りの２端子の一方に発光のための電流を印加するラインを設けた自己走査型発光装置である。
【００１５】
このような自己走査型発光装置においては、上記（１）〜（４）の手段を、シフト機能の部分に適用することによりボンディングパッドの数を低減できる。
【００１６】
【発明の実施の形態】
以下、本発明の実施例を説明する。
【００１７】
【実施例１】
図３は、本発明の第１の実施例の自己走査型発光装置の等価回路図である。
【００１８】
この実施例は、図１の回路において、スタートパルスφS を省き、電源パルスφGKに兼ねさせた例である。この場合、発光素子Ｔ1 に接続される負荷抵抗Ｒ1 を、以降の発光素子Ｔ2 ，Ｔ3 …に接続される負荷抵抗Ｒ2 ，Ｒ3 …に比べて小さく選ぶことにより、クロックパルスφ1 がＨレベルで、電源パルスφGKがＬレベルのときに、優先的に発光素子Ｔ1 がオンできるようにした。なお、図３において、図２と同じ構成要素には、図２と同じ参照番号を付して示している。
【００１９】
図４は、図３の自己走査型発光装置の駆動パルスの波形図である。発光素子がオンするのに必要な時間は、ゲート電圧が低いほど早くなる。ゲート電圧は、しきい電流によるゲート負荷抵抗の電圧降下によって決まるため、ゲート負荷抵抗が小さい場合の方がオンするのに必要な時間が短い。このため、Ｒ1 をＲ2 ，Ｒ3 …に比べて小さく選んでおくと、電源パルスφGKがＬレベルのときにクロックパルスφ1 がＨレベルとなると、選択的に発光素子Ｔ1 がオンすることになる。ひとたび発光素子Ｔ1 がオンしてしまうと、他のサイリスタはオンできなくなる。その後、φGKをＨレベルに上げ、従来例と同様に駆動する。
【００２０】
発光素子Ｔ1 と、発光素子Ｔ2 以降の発光素子とのゲート電圧の差は、しきい電流をＩthとすると、（Ｒ2 −Ｒ1 ）×Ｉthである。この電圧差が大きいほど安定して発光素子Ｔ1 が選択されるが、負荷抵抗Ｒ1 を小さくしすぎると、φGKがＨレベルの状態で発光素子Ｔ1 が負荷抵抗Ｒ1 をドライブできなくなるため、極端に小さくすることはできない。
【００２１】
この実施例によれば、図１の自己走査型発光装置に比べて、ボンディングパッドを１個減らすことができるので、チップ面積を小さくすることができる。
【００２２】
【実施例２】
第２の実施例は、図１の自己走査型発光装置においてスタートパルスφS を省き、クロックパルスφ2 に兼ねさせた例である。図５に回路構成を示す。この場合、発光素子Ｔ1 のゲートは、ダイオード６１を介してライン１２（φ2 ）に接続される。ゲート電圧ＶH のレベルによっては、ダイオードを２個以上直列に接続することもできる。なお、図５において、図１と同じ構成要素には、図１と同じ参照番号を付して示している。
【００２３】
図６は、第２の実施例の自己走査型発光装置の駆動パルスを示す。全ての発光素子がオンしていない状態でクロックパルスφ2 がＬレベルのとき、発光素子Ｔ1 のしきい電圧は、およそ２ＶD （ＶD はダイオードの拡散電位）であり、発光素子Ｔ3 ではおよそ４ＶD となる。したがって、クロックパルスφ1 を２ＶD 以上に引き上げると、発光素子Ｔ1 が選択的にオンする。一方、φ2 がＨレベルにあり、ライン１２に接続された発光素子Ｔ2nがオンしているとき、発光素子Ｔ2n+1をオンさせるしきい電圧は約２VD であり、発光素子Ｔ1 のしきい電圧はＶH ＋２ＶD となり、発光素子Ｔ2n+1のしきい電圧がもっとも低くなるため、φ1 をＨレベルとすると、Ｔ2n+1が選択的にオンする。この後、たとえφ2 がＬレベルとなっても発光素子Ｔ1 のしきい電圧は２ＶD であり、発光素子Ｔ2n+1がオンしているときのφ1 の電圧（〜ＶD ）よりも高いためオンできない。
【００２４】
【実施例３】
この実施例は、図５の第２の実施例のダイオード６１の代わりに抵抗を使った例である。図７に回路構成を示す。発光素子Ｔ1 のゲートは抵抗６２を介してライン１２に接続される。なお、図７において、図１と同じ構成要素には、図１と同じ参照番号を付して示している。
【００２５】
この実施例では、図５のダイオード６１の拡散電位の代わりに、しきい電流による抵抗６２（抵抗値ＲS ）の電圧降下を使って同様のことを行っている。すなわち、全部の発光素子がオンしていない状態でクロックパルスφ2 がＬレベルのとき、発光素子Ｔ1 のしきい電圧は、およそＶD ＋ＲS ×Ｉthであり、発光素子Ｔ3 では３ＶD ＋ＲS ×Ｉthとなる。したがって、クロックパルスφ1 をＶD ＋ＲS ×Ｉth以上に引き上げると、発光素子Ｔ1 が選択的にオンする。一方、φ2 がＨレベルにありライン１２に接続された発光素子Ｔ2nがオンしているとき、発光素子Ｔ2n+1をオンさせるしきい電圧は約２ＶD であり、発光素子Ｔ1 のしきい電圧はＶH ＋ＶD ＋ＲS ×Ｉthとなり、発光素子Ｔ2n+1のしきい電圧が最も低くなるため、φ1 をＨレベルとすると、発光素子Ｔ2n+1が選択的にオンする。
【００２６】
【実施例４】
この実施例は、図１の自己走査型発光装置において電源電圧パルスφGKを省き、φ1 とφ2 のパルスから合成する例である。図８に回路構成を示す。
【００２７】
この場合、ライン１４は、２つのダイオード６３ａ，６３ｂを介してそれぞれライン１１，１２と接続される。ライン１４の電圧ｖ（１４）を、クロックパルスφ1 ，φ2 の論理和として合成する。この論理和をとるためにダイオード−ダイオードロジック（ＤＤＬ）の論理和回路を用いた。また、合成された電圧ｖ（１４）が得られるためには、サイリスタがオンした後も、φ1 ，φ2 のいずれかのレベルがＨレベルでなければならない。このため、第１〜第３の実施例における外付け抵抗５１，５２は取り除き、チップ内に内蔵させる。内蔵された抵抗を、６４，６５で示す。なお、図８において、図１と同じ構成要素には、図１と同じ参照番号を付して示している。
【００２８】
図９は、第４の実施例の駆動パルスを示す。移行モード（ＭＯＤＥ−２）でクロックパルスφ1 がＨレベルになると、ダイオード６３ｂを介してライン１４の電圧ｖ（１４）がＨレベルとなり、電源電圧が供給される。転送モード（ＭＯＤＥ−３）で、スタートパルスφS が、ＨレベルからＬレベルになると、発光素子Ｔ1 が発光する。スタートパルスφS は、その後すぐにＨレベルに戻される。
【００２９】
【実施例５】
第５の実施例は、図５の第２の実施例と、図８の第４の実施例との組み合わせに係るものであり、図１０に回路構成を示す。図１０において、図５および図８と同じ構成要素には、同じ参照番号を付して示している。
【００３０】
図１１は、この実施例における駆動パルスを示す。移行モード（ＭＯＤＥ−２）で、クロックパルスφ2 がＨレベルになると、ｖ（１４）がＨレベルとなって発光素子に電源電圧を供給し、クロックパルスφ2 がＬレベルで発光素子Ｔ1 が発光する。
【００３１】
図１２は、図１０の自己走査型発光装置の集積化の例を示す平面図であり、図１３は、図１２のＹ−Ｙ′線断面図である。図１０と同じ構成要素には、同一の参照番号を付して示す。図１３に示すように、抵抗Ｒ2 ，結合ダイオードＤ1 ，発光素子Ｔ1 は、第１導電型の基板７上に、第１導電型層１，第２導電型層２，第１導電型層３，第２導電型層４が順次積層された構造から、それぞれ作製され、図中、５は発光素子のアノード電極、６は抵抗の電極である。
【００３２】
図１２から明らかなように、ボンディングパッドは、φ1 用のボンディングパッド２１と、φ2 用のボンディングパッド２２のみであるので、チップ面積をさらに小さくすることができる。
【００３３】
【実施例６】
図１４に示す第６の実施例は、図１０の第５の実施例を用いてシフト機能を実現し、発光機能を分離した構造である。発光素子Ｔ1 ，Ｔ2 ，Ｔ3 …を転送素子とし、これら転送素子のゲートに各ゲートを接続した発光素子Ｌ1 ，Ｌ2 ，Ｌ3…を設け、それらのアノードを書き込み信号φI 用ライン１５に接続する。ラインイン１５は、ボンディングパッド２５から、外付け抵抗５５を介して、駆動回路４０の出力端子４５（φI ）に接続される。
【００３４】
オンした転送素子のゲートはほぼ零ボルトとなるので、書き込み信号φI の電圧が、ＰＮ接合の拡散電位以上であれば、発光素子Ｌを発光状態とすることができる。発光状態を次の発光素子に転送するためには、書き込み信号φI の電圧を一度零ボルトまでおとし、発光している発光素子をいったんオフにしておく必要がある。
【００３５】
図１５には、駆動パルスを示すが、書き込み信号φI のＨレベルに応じて、発光素子Ｔ1 ，Ｔ2 ，Ｔ3 …がオンしていることがわかるであろう。
【００３６】
なお、このようにシフト機能と発光機能とを分離する構造は、第１〜第４の実施例についても適用できることは、容易に理解できるであろう。
【００３７】
【発明の効果】
本発明によれば、チップに設けるボンディングパッドの数を減らすことができるので、チップの小型化が可能となる。
【図面の簡単な説明】
【図１】自己走査型発光装置の等価回路を示す図である。
【図２】駆動パルスφ1 ，φ2 ，φGK ，φS のタイミングを示す図である。
【図３】本発明の第１の実施例の自己走査型発光装置の等価回路図である。
【図４】第１の実施例の自己走査型発光装置の駆動パルスの波形図である。
【図５】本発明の第２の実施例の自己走査型発光装置の等価回路図である。
【図６】第２の実施例の自己走査型発光装置の駆動パルスの波形図である。
【図７】本発明の第３の実施例の自己走査型発光装置の等価回路図である。
【図８】本発明の第４の実施例の自己走査型発光装置の等価回路図である。
【図９】第４の実施例の自己走査型発光装置の駆動パルスの波形図である。
【図１０】本発明の第５の実施例の自己走査型発光装置の等価回路図である。
【図１１】第５の実施例の自己走査型発光装置の駆動パルスの波形図である。
【図１２】図１０の自己走査型発光装置の集積化の例を示す平面図である。
【図１３】図１２のＹ−Ｙ′線断面図である。
【図１４】本発明の第６の実施例の自己走査型発光装置の等価回路図である。
【図１５】第６の実施例の自己走査型発光装置の駆動パルスの波形図である。
【符号の説明】
１  第１導電型層
２  第２導電型層
３  第１導電型層
４  第２導電型層
５  第２導電型層用のオーミック電極
６  第１導電型層用のオーミック電極
７  第１導電型の基板
１０  自己走査型発光装置チップとして集積化された部分
１１  クロックパルスラインφ1
１２  クロックパルスラインφ2
１４  電源ラインφGK
１５  書き込み信号ラインφI
２１，２２，２３，２４，２５  ボンディングパッド
４０  駆動回路
４１，４２，４３，４４，４５  出力端子
５１，５２，５３，５５  電流制限用抵抗
６１，６３ａ，６３ｂ  ダイオード
６２，６４，６５  抵抗
【図１】
0004457437.tif 000002
【図２】
0004457437.tif 000003
【図３】
0004457437.tif 000004
【図４】
0004457437.tif 000005
【図５】
0004457437.tif 000006
【図６】
0004457437.tif 000007
【図７】
0004457437.tif 000008
【図８】
0004457437.tif 000009
【図９】
0004457437.tif 000010
【図１０】
0004457437.tif 000011
【図１１】
0004457437.tif 000012
【図１２】
0004457437.tif 000013
【図１３】
0004457437.tif 000014
【図１４】
0004457437.tif 000015
【図１５】
0004457437.tif 000016